(57)【要約】      （修正有）【課題】重量物の載置が可能であると共に、収納や運搬がし易いようにコンパクト化できる商品展示用台を提供する。【解決手段】展示商品が載置される天板１と、脚部を兼ねる４つの側板２から構成される硬質プラスチック製の折り畳みボックス状の台１０であって、天板１及び側板２の裏面はリブ構造であり、天板１と４つの側板２とは、それぞれ係合凹部及び係合凸部の嵌合により接合されている。【選択図】図１
0003167129.tif 000002
【実用新案登録請求の範囲】
【請求項１】
展示商品が載置される天板と、脚部を兼ねる４つの側板から構成される硬質プラスチック製の折り畳みボックス状の台であって、
該天板及び該側板の裏面はリブ構造であり、
該天板と該４つの側板とは、それぞれ係合凹部及び係合凸部の嵌合により接合されていることを特徴とする商品展示用折り畳み台。
【請求項２】
該４つの側板は、折り畳みの際、最初に折り畳まれる対峙位置にある一対のインナー側板と、次いで該インナー側板に重ねて折り畳まれる対峙位置にある一対のアウター側板とから構成され、該アウター側板の側端近傍で且つ裏面に、該インナー側板が内側へ倒れることを防止する板バネ状ロック部を形成したことを特徴とする請求項１記載の商品展示用折り畳み台。
【請求項３】
該板バネ状ロック部は、該板バネ状ロック部が設置される側板の側端側で且つ内側斜め方向に突出するものであり、該インナー側板が折り畳み姿勢から起立姿勢へ回動する途中での接触により外側に撓んで該回動を許容し、該インナー側板が起立姿勢となった際、元の形状に復元することを特徴とする請求項２記載の商品展示用折り畳み台。
【請求項４】
該天板の天面には、碁盤目状の溝が形成されていることを特徴とする請求項１〜３のいずれか１項に記載の商品展示用折り畳み台。
【請求項５】
該天板の天面には、把持用の貫通孔が形成されていることを特徴とする請求項１〜４のいずれか１項に記載の商品展示用折り畳み台。
【請求項６】
該天板の天面には、適宜の間隔及び適宜の数の嵌合用孔が形成されていることを特徴とする請求項１〜５のいずれか１項に記載の商品展示用折り畳み台。
【請求項７】
該天板の裏側であって、且つ２つのインナー側板間に、該天板と係合凹部又は係合凸部の嵌合により接合されてなる中間パネルを、更に設けたことを特徴とする請求項２〜６のいずれか１項に商品展示用折り畳み台。
【請求項８】
該側板の下端は、該天板の碁盤目状の溝に嵌る形状であることを特徴とする請求項４〜７のいずれか１項に記載の商品展示用折り畳み台。
【請求項９】
該側板には、ＰＯＰ板を支持する係止爪が形成されていることを特徴とする請求項１〜８のいずれか１項に記載の商品展示用折り畳み台。
【請求項１０】
該天板には、キャスター取付け用のボルト挿通孔を少なくとも四隅近傍に形成したことを特徴とする請求項１〜９のいずれか１項に記載の商品展示用折り畳み台。
【請求項１１】
２個以上を横並び又は積み重ねて使用することを特徴とする請求項１〜１０のいずれか１項に記載の商品展示用折り畳み台。
【考案の詳細な説明】
【技術分野】
【０００１】
本考案は、比較的サイズの大きな商品などの展示を好適に演出すると共に、折り畳み収納が可能な商品展示用折り畳み台に関するものである。
【背景技術】
【０００２】
百貨店、量販店などにおいては、比較的サイズの大きな商品を陳列したり、中サイズの商品を多数陳列したりすることがある。この場合、大きな陳列面を有する強度的に安定な商品展示用台が使用される。また、商品の販売よりも展示を目的とした見本市などのイベントにおいては、比較的大きなステージ台を複数横並び又は積み重ねて組立体を構成し、この上に展示品を載せて展示することがある。
【０００３】
従来の商品展示台としては、箱状の台を数個用意し、並べたり積み重ねたりして大きな展示用のステージ台を造っていた。また、強度の高いスチール製の台を数個用意し、並べたり積み重ねたりして大きな展示用のステージ台を造っていた。
【考案の開示】
【考案が解決しようとする課題】
【０００４】
しかしながら、従来の商品展示用台は、重量物でしかもサイズが大きいため、搬送し難いものであった。従って、商品展示の際は、強度的に十分でありながら、搬送や収納の際には、コンパクト化が図れる商品展示用台の開発が望まれていた。なお、一般的な折り畳みボックスは、例えば特開平６−７２４３８号公報に記載されるように公知ではあるものの、このような折り畳みボックスは、保管、輸送あるいは搬送用に使用されるものであり、上下逆さ、すなわち底板を天板とし、商品陳列用の台として使用しても強度がないため、重量物を載せることはできないものである。
【０００５】
従って、本考案の目的は、重量物の載置が可能であると共に、収納や運搬がし易いようにコンパクト化できる商品展示用折り畳み台を提供することにある。また、本考案の他の目的は、種々の付属品の後付け設置を可能にして、趣のある展示を種々演出できる商品展示用折り畳み台を提供することにある。
【課題を解決するための手段】
【０００６】
すなわち、本考案は、上記課題を解決するものであって、展示商品が載置される天板と、脚部を兼ねる４つの側板から構成される硬質プラスチック製の折り畳みボックス状の台であって、該天板及び該側板の裏面はリブ構造であり、該天板と該４つの側板とは、それぞれ係合凹部及び係合凸部の嵌合により接合されていることを特徴とする商品展示用折り畳み台を提供するものである。
【考案の効果】
【０００７】
本考案によれば、天板及び側板の裏面がリブ構造となっている。このため、折り畳み構造でありながら、組み立てたものは、強度が高く、重量物商品等の載置が可能である。また、不使用時は、折り畳んでコンパクト化できるため、収納や運搬がし易い。また、折り畳んだ状態で、商品展示用の台として利用できる。また、商品展示用折り畳み台で使用する天板のみを利用し、これにキャスターを付ければ、キャスター付きのステージを得ることができる。また、天板の天面には、碁盤目や嵌合用孔が形成されているため、種々の付属品の後付け設置を可能にして、趣のある展示を種々演出できる。
【図面の簡単な説明】
【０００８】
【図１】本考案の実施の形態における商品展示用折り畳み台の斜視図である。
【図２】図１の商品展示用折り畳み台を上下逆さにした斜視図である。
【図３】図１の商品展示用折り畳み台の裏側から見た分解斜視図である。
【図４】図１の商品展示用折り畳み台の折り畳み過程を示した図である。
【図５】図１の商品展示用折り畳み台の折り畳み過程を示した他の図である。
【図６】図１の商品展示用折り畳み台の折り畳み状態を示した図である。
【図７】図１の商品展示用折り畳み台の使用形態を説明する図である。
【図８】図１の商品展示用折り畳み台の他の使用形態を説明する図である。
【図９】図１の商品展示用折り畳み台２台を横並びで設置した斜視図である。
【図１０】図９の商品展示用折り畳み台の使用形態を説明する図である。
【図１１】図１の商品展示用折り畳み台５台を横並びと積み重ねした斜視図である。
【図１２】図１の商品展示用折り畳み台の他の使用形態を説明する図である。
【図１３】図１の商品展示用折り畳み台で使用する天板の利用例を示す図である。
【考案を実施するための形態】
【０００９】
次に、本考案の実施の形態における商品展示用折り畳み台を図１〜図６を参照して説明する。本明細書中、特段の説明がない限り、「上」、「下」は、組立体における方向を言う。商品展示用折り畳み台１０は、展示商品が載置される天板１と、脚部を兼ねる４つの側板２（２ａ〜２ｄ）から構成される硬質プラスチック製の折り畳みボックス状の台である。本明細書中、４つの側板２の中、折り畳みの際、先に折り畳まれる対峙関係にある一対の側板をインナー側板と言い、その後、インナー側板に重ねて折り畳まれる対峙関係にある一対の側板をアウター側板と言う。本例の商品展示用折り畳み台１０は、外観が直方体形状であるため、２つのアウター側板２ａ、２ｂは大きく、他の２つのインナー側板２ｃ、２ｄはそれより小さいものである。硬質プラスチックとしては、硬質ポリプロピレン等公知のものが使用できる。なお、本考案の商品展示用折り畳み台１０は、平面視が長方形のものに限定されず、正四角形のものであってもよい。
【００１０】
天板１の裏面はリブ構造１１である。リブ構造１１は、縦リブ、横リブ又は斜めリブが組み合わされたものであり、軽量化と高強度を実現することができる。リブとは、所定の高さ及び長さを有する定形断面又は不定形断面の突起を言う。天板１の４辺の端には、端から下方に延びる低い高さの４つのスカート部１１ａ〜１１ｄを有し、この中、長手方向に位置するスカート部１１ａ、１１ｂの高さは、短手方向に位置するスカート部１１ｃ、１１ｄの高さより高いものである。天板１の４つのスカート部１１ａ〜１１ｄは、天板１の裏面に、折り畳まれた側板２を収容するスペースを確保すると共に、側板２が起立姿勢より外側に回動しないようにするストッパーの役目もある。また、短手方向に位置するスカート部１１ｃ、１１ｄの高さを、長手方向に位置するスカート部１１ａ、１１ｂの高さより低くすることで、最初に折り畳まれたインナー側板２ｃ、２ｄの上に、アウター側板２ａ、２ｂの折り畳み収納を可能にしている。
【００１１】
スカート部１１ａ〜１１ｄの内側には、側板２ａ〜２ｄの係合凸部２３ａ〜２３ｄに係合する係合凹部１７ａ〜１７ｄが形成されている。係合凸部２３ａ〜２３ｄは、横方向に延びる略角形断面又は円形断面の棒状突起であり、係合凹部１７ａ〜１７ｄは棒状突起を回動自在に支持する軸受け構造である。両者の係合関係は、これに限定されず、係合凸部２３ａ〜２３ｄを係合凹部とし、係合凹部１７ａ〜１７ｄを係合凸部とするような逆の関係でもよい。また、係合凸部２３ａ〜２３ｄ及び係合凹部１７ａ〜１７ｄは、他の公知の係合形態であってもよい。また、アウター側板２ａ、２ｂの天板１との係合位置は、インナー側板２ｃ、２ｄの天板１との係合位置より下方にある。これにより、天板１の裏側に重ねての折り畳みが可能となる。
【００１２】
天板１の天面には、碁盤目状の溝１２が形成されている。これにより、他の商品展示用折り畳み台１０を積み重ねた際、他の商品展示用折り畳み台１０の側板の先端が碁盤目状の溝１２に嵌るため、安定した積み重ねができる。また、天板１の天面のどのような位置であっても、安定した積み重ねができる。なお、天板１の天面にはリブが形成されていない。
【００１３】
天板１の天面の中央からやや端側には、把持用の貫通孔１３がそれぞれ一対、都合４つ形成されている。これにより、商品展示用折り畳み台１０の移動あるいは折り畳み後の運搬の際、天板１を手で容易に把持することができ便利である。
【００１４】
天板１の天面には、適宜の間隔及び適宜の数の嵌合用孔が形成されている。本例では、天面の周端部に１辺当たり数個で他の嵌合孔より低い位置に形成される第２嵌合用孔１４ａ、天面の四隅及び辺部中央に形成される第３嵌合用孔１６及び天面の四隅に形成される比較的大きな第４嵌合用孔１４を備える。第２嵌合用孔１４ａには、主に連結用のフック７が取り付けられる。また、第３嵌合用孔１６には、柵部材５等が取り付けられる。また、第４嵌合用孔１４には、ＰＯＰ紙を吊り下げるアーチパイプ８等が取り付けられる。また、天板１には、４つの孔を１組とするキャスター取付け用のボルト挿通孔１５が、四隅近傍、中央の１箇所及び中央を挟んで短手方向の両側の計７箇所に形成されている。
【００１５】
天板１の裏側の長手方向の中央部には、短手方向に亘って、中間パネル３が嵌め込まれる係合凹部１７ｅが形成され、係合凹部１７ｅの両側には中間パネル３を回動自在に支持する軸孔１７ｆが形成されている。係合凹部１７ｅは、中間パネル３の上端（天板側）に形成された略角断面の突起（係止凸部３３）が差し込みにより緊密に嵌るものであり、軸孔１７ｆは中間パネル３の上端両側に形成された突起３３ａが回動自在に嵌る軸受け部構造である。すなわち、係合凹部１７ｅは軸孔１７ｆの係止端より天板１側（奥側）に位置する。これにより、使用状態において、係合凹部１７ｅは中間パネル３の係合凸部３３と強く嵌り、折り畳み状態において、手前（反天板１側）の軸孔１７ｆは、中間パネル３の係合凸部３３と回動自在に嵌る。
【００１６】
４つの側板２（２ａ〜２ｄ）の中、２つのアウター側板２ａ、２ｂはそれぞれ同一構造同一形状である。また、２つのインナー側板２ｃ、２ｄはそれぞれ同一構造同一形状である。２つのインナー側板２ｃ、２ｄは、折り畳みの際、中間パネル３の上から重ねて天板１の裏側内に収納可能な寸法形状である。すなわち、インナー側板２ｃの横長さは、天板１の短手方向の長さよりもやや小であり、高さは天板１の長手方向の１/２長さより小である。また、２つのアウター側板２ａ、２ｂは、折り畳みの際、インナー側板２ｃ（２ｄ）の上から重ねて天板１の裏側内に収納可能な寸法形状である。すなわち、アウター側板２ａの横長さは、天板１の長手方向の長さと同じか又はやや小であり、高さは天板１の短手方向の１/２長さより小である。
【００１７】
アウター側板２ａ（２ｂ）は枠体形状であって、枠の中（側板の裏面）はリブ構造２１ａ（２１ｂ）である。リブ構造２１ａ（２１ｂ）は、縦リブ、横リブ又は斜めリブが組み合わされたものであり、軽量化と高強度を実現することができる。リブとは、所定の高さ及び長さを有する定形断面又は不定形断面の突起を言う。なお、アウター側板２ａ（２ｂ）の表面側には、意匠性の観点からリブは形成されていない。
【００１８】
アウター側板２ａ（２ｂ）を構成する枠体の天板１側には、天板１の係合凹部１７ａ（１７ｂ）に係合する係合凸部２３ａ（２３ｂ）が形成されている。係合凸部２３ａ（２３ｂ）は、横方向に延びる略角形断面の棒状突起であり、係合凹部１７ａ（１７ｂ）は前記の通り、棒状突起を回動自在に支持する軸受けである。両者の係合関係は、係合凸部２３ａ（２３ｂ）を係合凹部とし、係合凹部１７ａ（１７ｂ）を係合凸部とするような逆の関係でもよい。
【００１９】
アウター側板２ａ（２ｂ）の長手方向の両端部には、係止突起２５ａ（２５ｂ）が形成されている。この係止突起２５ａ（２５ｂ）は、インナー側板２ｃ（２ｄ）に形成される係止凹部２５ｃ（２５ｄ）と係止し、組立体におけるボックス形状を安定化させる。また、アウター側板２ａ（２ｂ）の長手方向の中央の下方位置には、中間パネル３を係止する係止部２８ａ（２８ｂ）が形成されている。これにより、組立体において、中間パネル３を安定して固定できる。
【００２０】
アウター側板２ａ（２ｂ）の側端近傍で且つ裏面の下部には、組立体においてインナー側板２ｃ、２ｄの起立姿勢を保つための板バネ状ロック部４が形成されている。板バネ状ロック部４の基端部４１は、アウター側板２ａ（２ｂ）の側端よりやや内側に入ったところで、アウター側板２ａ（２ｂ）と接合されており、先端４３が、アウター側板２ａ（２ｂ）の側端側で且つ内側斜め方向に突出するものである。これにより、インナー側板２ｃ、２ｄが折り畳み姿勢から起立姿勢へ回動する途中での接触により外側に撓んで該回動を許容し、インナー側板２ｃ、２ｄが起立姿勢となった際、元の形状に復元することで、インナー側板２ｃ、２ｄの起立姿勢を維持することができる。
【００２１】
アウター側板２ａ（２ｂ）の長手方向の下端は、天板１の碁盤目状の溝１２に嵌る形状である。具体的には、アウター側板２ａ（２ｂ）の長手方向に延びる横突起２２ａ（２２ｂ）と、横突起２２ａ（２２ｂ）と直交する方向に延び長手方向に所定のピッチで多数形成される縦突起２７ａ（２７ｂ）とからなる。
【００２２】
インナー側板２ｃ（２ｄ）は枠体形状であって、枠の中（側板の裏面）はリブ構造２１ｃ（２１ｄ）である。リブ構造２１ｃ（２１ｄ）及びリブの定義は、前記のリブ構造２１ａ（２１ｂ）と同様であり、その説明を省略する。なお、インナー側板２ｃ（２ｄ）の表面側には、意匠性の観点からリブは形成されていない。
【００２３】
インナー側板２ｃ（２ｄ）を構成する枠体の天板１側には、天板１の係合凹部１７ｃ（１７ｄ）に係合する係合凸部２３ｃ（２３ｄ）が形成されている。係合凸部２３ｃ（２３ｄ）は、横方向に延びる円形断面の棒状突起であり、係合凹部１７ｃ（１７ｄ）は前記の通り、棒状突起を回動自在に支持する軸受け構造のものである。両者の係合関係は、係合凸部２３ｃ（２３ｄ）を係合凹部とし、係合凹部１７ｃ（１７ｄ）を係合凸部とするような逆の関係でもよい。
【００２４】
インナー側板２ｃ（２ｄ）の長手方向の両端部には、係止凹部２５ｃ（２５ｄ）が形成されている。係止凹部２５ｃ（２５ｄ）は、爪状であり、アウター側板２ａ（２ｂ）に形成される係合凸部２５ａ（２５ｂ）と係止し、組立体におけるボックス形状を安定化させる。
【００２５】
インナー側板２ｃ（２ｄ）の長手方向の下端は、天板１の碁盤目状の溝１２に嵌る形状である。具体的には、インナー側板２ｃ（２ｄ）の長手方向に延びる横突起２２ｃ（２２ｄ）と、横突起２２ｃ（２２ｄ）と直交する方向に延び長手方向に所定のピッチで多数形成される縦突起２７ｃ（２７ｄ）とからなる。また、インナー側板２ｃ（２ｄ）の表面の上部でやや中央よりに一対の凹部２９ｃ（２９ｄ）が形成されている。凹部２９ｃ（２９ｄ）は、折り畳みの際、板バネ状ロック部４が入ることで、折り畳み収納の障害とならないようにしている。
【００２６】
天板１の裏側であって、且つ２つのインナー側板２ｃ（２ｄ）間に、天板１の係合凸部１７ｅとの嵌合により接合されてなる中間パネル３が形成されている。中間パネル３の脚長さは、側板２の脚長さより僅かに短い。これにより、重量物が載置された際、天板１が少し撓み、中間パネル３の先端が設置面に当たり、脚部として機能する。一方、中間パネル３の脚長さが、側板２の脚長さと同じでは、商品展示用折り畳み台１０がシーソー運動をすることがあり、設置安定性に欠ける。また、中間パネル３は天板１の裏面のスペースに収納可能な寸法形状である。
【００２７】
中間パネル３は、略板状物であって、両側面はリブ構造３１である。リブ構造３及びリブの定義は、前記のリブ構造２１ａ（２１ｂ）と同様であり、その説明を省略する。なお、中間パネル３のリブ構造３１のリブ高さは、側板２のリブ高さより低くても、補助的な脚部として十分な強度である。また、中間パネル３は、補強板として、商品展示用折り畳み台１０の耐荷重能を高めることができる。
【００２８】
中間パネル３の天板１側の端には、天板１の係合凹部１７ｅに係合する係合凸部３３が形成されている。係合凸部３３は、横方向に延びる略角断面の棒状突起である。本例では、所定の間隔で４個形成されている。両者の係合関係は、上記形態に限定されず、係合凸部３３を係合凹部とし、係合凹部１７ｅを係合凸部とするような逆の関係でもよい。また、中間パネル３において、係合凸部３３の両側には外側に僅かに突出する突起３３ａが形成されている。
【００２９】
中間パネル３の下方両側には、本体部３２から外側に突出する係止突起３４が形成されている。係止突起３４は、アウター側板２ａ（２ｂ）の係止部２８ａ（２８ｂ）に係止することで、中間パネル３の設置安定性を高めている。中間パネル３の係合凸部３３は、使用状態において、天板１の奥側の軸受け部に比較的強く嵌っており、折り畳み状態においては、手前の軸受け部に緩く嵌っている。
【００３０】
商品展示用折り畳み台１０は、天板１及び４つの側板２を必須の構成要素とし、中間パネル３は必要におうじて使用する。商品展示用折り畳み台１０は、天板１及び４つの側板２の組み付けであり、先ず、上下反転して天板１の裏側が上方を向くようにし、次いで、側板４を嵌め込みにより組み付ける。必要であれば、中間パネル３も嵌め込みにより組み付ける。
【００３１】
次に、商品展示用折り畳み台１０の折り畳み方法の一例を説明する。先ず、使用状態における商品展示用折り畳み台１０を上下反転させる。この場合、天板１が設置面に設置する状態となる（図２）。次いで、中間パネル３を上方に少し引き抜く。その際、中間パネル３の係止突起３４とアウター側板２ａ（２ｂ）の係止部２８ａ（２８ｂ）の係止が解かれると共に、中間パネル３の係合凸部３３は、天板１の係合凹部１７ｅとの係合が外れ、中間パネル３の突起３３ａが手前の軸孔１７ｆの係止端に当たる。中間パネル３の突起３３ａと手前の軸孔１７ｆとは係止が緩やかであり、この係止部を支点として中間パネル３を回動させながら横に倒す。これにより、中間パネル３は天板１の裏側に収納される。次いで、板バネ状ロック部４の先端４３を側板側（外側）に押し込み、板バネ状ロック部４の内側への飛び出しを無くす。次いで、インナー側板２ｃ（２ｄ）を回動させながら内側に倒し折り畳む。これにより、インナー側板２ｃ（２ｄ）は、中間パネル３に重ねられ天板１の裏側に収納される（図４及び図５）。次いで、アウター側板２ａ（２ｂ）を内側に倒し折り畳む。これにより、アウター側板２ａ（２ｂ）は、インナー側板２ｃ（２ｄ）上に重ねられ天板１の裏側に収納される（図４）。アウター側板２ａ（２ｂ）の天板１に対する接合位置が、インナー側板２ｃ（２ｄ）の天板１に対する接合位置より下方（折り畳み状態では、「上方」）であるため、アウター側板２ａ（２ｂ）は、インナー側板２ｃ（２ｄ）上に重ねることができる（図５）。なお、アウター側板２ａ（２ｂ）に形成された板バネ状ロック部４は、インナー側板２ｃ（２ｄ）の凹部２７ｃ（２７ｄ）に入り込むため、積み重ね収納の障害とはならない。また、アウター側板２ａ（２ｂ）の爪状の係止突起２５ａ（２５ｂ）は、天板１の係止凹部に係止するため、天板１にロックされる。折り畳まれた商品展示用折り畳み台１０は、厚みが天板１のアウター側板２ａ（２ｂ）側に位置するスカート部１１ａ、１１ｂの厚みと同じであり、商品展示用折り畳み台１０の高さの概ね１/４までコンパクト化できる（図６）。また、必要であれば、天板１及び４つの側板２を全て、外すこともできる。そして、天板１は、後述するキャスター付きステージを構成することもできる。
【００３２】
次に、折り畳まれた商品展示用折り畳み台１０を組立てる方法の一例を説明する。折り畳まれた商品展示用折り畳み台１０を組立てるプロセスは、概ね前記の商品展示用折り畳み台１０を折り畳むプロセスの逆の手順である。先ず、折り畳まれた商品展示用折り畳み台１０を上下反転させる。次いで、折り畳まれたアウター側板２ａ（２ｂ）を回動させながら起立させる（図５）。この際、アウター側板２ａ（２ｂ）は、天板１に対して９０度の位置で天板１のスカート部１１ａ（１１ｂ）に当たるため、それ以上広がることはない。次いで、折り畳まれたインナー側板２ｃ（２ｄ）を回動させながら起立させる。この際、インナー側板２ｃ（２ｄ）が起立する手前で、板バネ状ロック部４の本体部４２に接触し、板バネ状ロック部４はアウター側板２ａ（２ｂ）内に押し込まれるため、インナー側板２ｃ（２ｄ）の回動を妨げることはない（図４）。また、インナー側板２ｃ（２ｄ）は、天板１に対して９０度の位置で天板１のスカート部１１ｃ（１１ｄ）に当たるため、それ以上広がることはない。次いで、中間パネル３を回動させながら起立させ、次いで、起立状態の中間パネル３を下方に押し込み、天板１の係合凹部１７ｅに嵌合させると同時に、中間パネル３の係止突起３４をアウター側板２ａ（２ｂ）の係止部２８ａ（２８ｂ）に係止させる（図２）。次いで、図２の状態の商品展示用折り畳み台１０を上下反転させて、図１の使用状態とする。
【００３３】
次に、商品展示用折り畳み台１０の使用方法について説明する。図１の商品展示用折り畳み台１０の天面に、展示商品あるいは販売商品等を載置することができる。また、図６に示すような折り畳まれた状態の商品展示用折り畳み台１０を展示用台として使用してもよい。箱入りビール等、僅かな高さの台に設置すると陳列効率が向上する。
【００３４】
図７の商品展示用折り畳み台１０ａに示すように、天板１の端周りで且つ天面上に柵５を設けてもよい。柵５は円形断面形状の線材を略コ字状となるように屈曲させたものであり、鉛直部の先端を天板１の四隅に形成された第３嵌合用孔１６に嵌められることで設置される。これにより、商品展示用折り畳み台１０ａ上に載置された展示商品や販売商品の転落を防止する。
【００３５】
また、図８の商品展示用折り畳み台１０ｂに示すように、側板２の表面にＰＯＰ（ｐｏｉｎｔ  ｏｆ  ｐｕｒｐｏｓｅ）板６（図８中、ハッチング部分）を設置してもよい。ＰＯＰ板は、展示商品情報等が人目に付くように記載された掲示板であり、展示の演出を高めることができる。ＰＯＰ板６は、側板２の上部及び下部に形成された係止爪２６ａ〜２６ｄ間に嵌めれば固定できる。
【００３６】
図９の商品展示用折り畳み台１０ｃに示すように、２台の商品展示用折り畳み台１０を横並びで使用することができる。２台の商品展示用折り畳み台１０の連結は、コ字形状のフック部材７の鉛直部の先端を天板１の四隅に形成された第２嵌合用孔１４ａに嵌めることにより行われる。
【００３７】
図１０の商品展示用折り畳み台１０ｄに示すように、４台の商品展示用折り畳み台１０を横並びで使用し、ＰＯＰ紙掲示用のアーチ部材８を設置することができる。４台の商品展示用折り畳み台１０の連結は、コ字形状のフック部材７の鉛直部の先端を天板１の四隅に形成された第２嵌合用孔１４ａに嵌めることにより行われる。また、アーチ部材８は、その鉛直部の先端を天板１の四隅に形成された第４嵌合用孔１４に嵌めることにより設置できる。
【００３８】
図１１の商品展示用折り畳み台１０ｅに示すように、４台の商品展示用折り畳み台１０を横並びとし、他の１台の商品展示用折り畳み台１０を積み重ねとしてもよい。下段の４台の商品展示用折り畳み台１０の連結は、コ字形状のフック部材７の鉛直部の先端を天板１の四隅に形成された第２嵌合用孔１４ａに嵌めることにより行われる。また、上段の商品展示用折り畳み台１０は、４台の商品展示用折り畳み台１０のほぼ中央に載置される。上段の商品展示用折り畳み台１０の４つの側板２の下端は、天板１の碁盤目の溝１２に係止する形状であるため、設置安定性が向上する。
【００３９】
図１２の商品展示用折り畳み台１０ｆに示すように、商品展示用折り畳み台１０を、キャスター付きの台車９に設置し、移動体としてもよい。キャスター付きの台車９の天面は、商品展示用折り畳み台１０の天板１の天面に形成された碁盤目の溝１２と同じ形状の溝が形成されたものが、商品展示用折り畳み台１０の設置が安定するため、好適である。
【００４０】
商品展示用折り畳み台１０で使用する天板１には、４つの孔を１組とするキャスター取付け用のボルト挿通孔１５が多数形成されているため、天板１のみを利用し、これにキャスター６１を取り付けてキャスター付きのステージを構成することができる。すなわち、図１３に示すように、天板１に所定の個数、本例では５つのキャスター６１を取り付けて、キャスター付きステージ２０を得ることができる。天板１は、裏側がリブ構造であるため、強度が十分であり、重量物の載置が可能である。キャスター６１の取付けは、４つのボルト挿入孔を有するキャスターの基部を天板１の裏面から、該４つのボルト挿入孔が、キャスター取付け用のボルト挿通孔１５に一致するようにあてがい、次いで、天板１の上方からボルト挿入孔にボルトを挿入し、ナット等で固定する方法が挙げられる。
【００４１】
本考案の商品展示用折り畳み台１０は、上記実施の形態例に限定されず、種々の変形を採ることができる。すなわち、商品展示用折り畳み台１０は、図１のものより、長手方向の少し長いもの、あるいは正方形の天板１となるような形状など種々の形状を採ることができる。その場合、インナー側板及びアウター側板は適宜、本考案の効果を奏するように、大きさが決定される。また、１組のキャスター取付け用のボルト挿通孔１５は、上記７箇所に限定されず、天板１の少なくとも四隅近傍に形成されていればよい。
【００４２】
商品展示用折り畳み台１０において、中間パネル３はその使用を省略することができる。また、長手方向の長さが長い商品展示用折り畳み台１０の場合、中間パネル３は２枚使用してもよい。長手方向の長さが長い商品展示用折り畳み台１０は、中央部で重量物が積載されても、中間パネル３が脚部の作用を奏するため、天板１が大きく撓むことがない。また、天板１の裏面のスペースが大きいため、折り畳み収納が可能となる。
【産業上の利用可能性】
【００４３】
本考案によれば、重量物の載置が可能であると共に、収納や運搬がし易いようにコンパクト化できるため、特に、展示形態の変更が頻繁に行われるスーパーや量販店等において好適である。また、新商品の展示等の見本市などの展示台として好適である。
【符号の説明】
【００４４】
１      天板
２      側板
２ａ、２ｂ    アウター側板
２ｃ、２ｄ    インナー側板
３      中間パネル
４      板バネ状ロック部
５      柵
６      ＰＯＰ板
７      連結用フック部材
８    ＰＯＰ紙掲示用アーチ部材
９    キャスター付き台車
１０、１０ａ〜１０ｆ    商品展示用折り畳み台
１１    リブ構造
１１ａ〜１１ｄ      天板のスカート部  
１７ａ〜１７ｄ      天板の係合凹部
２０                キャスター付きステージ
２３ａ〜２３ｄ      側板の係合凸部
【図１】
0003167129.tif 000003
【図２】
0003167129.tif 000004
【図３】
0003167129.tif 000005
【図４】
0003167129.tif 000006
【図５】
0003167129.tif 000007
【図６】
0003167129.tif 000008
【図７】
0003167129.tif 000009
【図８】
0003167129.tif 000010
【図９】
0003167129.tif 000011
【図１０】
0003167129.tif 000012
【図１１】
0003167129.tif 000013
【図１２】
0003167129.tif 000014
【図１３】
0003167129.tif 000015